(57)【要約】【課題】合成樹脂の止水部が形成される端子付電線において、簡易に圧着端子の被覆圧着部の内側に隙間が形成されることを防止すること。【解決手段】端子付電線１の圧着端子１０において、被覆圧着部２０の縁部が外側へ反った環状の拡径部２００を形成している。第一止水樹脂部７及び第二止水樹脂部８は、流動状の合成樹脂が固化した部材からなる。第一止水樹脂部７は、絶縁電線９の端部における圧着端子１０から露出している部分を覆う。環状の第二止水樹脂部８は、絶縁電線の絶縁被覆と拡径部２００との間を埋める。【選択図】図２
2014191973.tif 000002
【特許請求の範囲】
【請求項１】
絶縁電線と、
前記絶縁電線における絶縁被覆の部分及び前記絶縁被覆から延び出た芯線の各々に圧着された芯線圧着部及び被覆圧着部を有し、前記被覆圧着部における前記芯線圧着部側の第一縁部に対し反対側の第二縁部が外側へ反った環状の拡径部を形成している圧着端子と、
流動状の合成樹脂が固化した部材からなり、前記絶縁電線における少なくとも前記被覆圧着部の前記芯線圧着部側の第一縁部に接する部分から先端側において前記圧着端子から露出している部分を覆う第一止水樹脂部と、
流動状の合成樹脂が固化した部材からなり、前記絶縁電線の前記絶縁被覆と前記被覆圧着部の前記拡径部との間を埋める環状の第二止水樹脂部と、を備える端子付電線。
【請求項２】
請求項１に記載の端子付電線であって、
前記第一止水樹脂部は、前記被覆圧着部における突き合わせ状態で前記絶縁電線にかしめられた一対の先端縁部における前記第二止水部に接する位置までの領域を覆って形成されている、端子付電線。
【請求項３】
請求項１又は請求項２に記載の端子付電線であって、
前記絶縁電線の前記芯線はアルミニウムを主成分とする金属材料からなり、
前記圧着端子は銅を主成分とする金属材料からなる、端子付電線。
【発明の詳細な説明】
【技術分野】
【０００１】
本発明は、絶縁電線と絶縁電線の端部に取り付けられた圧着端子と絶縁電線における絶縁被覆から延び出た芯線を覆う止水樹脂部とを含む端子付電線に関する。
【背景技術】
【０００２】
車両に搭載されるワイヤハーネスにおいて、コネクタのキャビティに挿入される金属製の圧着端子が電線の端部に取り付けられる。特許文献１に示されるように、圧着端子は、被覆圧着部、芯線圧着部及び接点部を有する。
【０００３】
被覆圧着部は、電線の端部における絶縁被覆に圧着される部分である。芯線圧着部は、電線の端部における絶縁被覆から延び出た芯線に圧着される部分である。接点部は、相手側の端子と直接接触し、相手側の端子に接続される部分である。以下、端部に圧着端子が取り付けられた電線のことを端子付電線と称する。
【０００４】
なお、被覆圧着部、芯線圧着部及び接点部は、それぞれインシュレーションバレル、ワイヤバレル及びコンタクトと称される。
【０００５】
絶縁電線の芯線がアルミニウム線である場合などにおいて、絶縁電線の芯線と圧着端子との間の異種金属接触腐食が生じやすい。異種金属接触腐食の防止のため、合成樹脂の被覆によって絶縁電線の芯線における圧着端子から露出した部分を覆うことが有効である。
【０００６】
例えば、特許文献１に示される端子付電線は、絶縁電線における絶縁被覆から延び出た芯線を芯線圧着部の外側から覆う合成樹脂の止水部を有する。この合成樹脂の止水部は、絶縁電線の芯線と圧着端子の芯線圧着部とが接触する部分への液体の浸入を防ぐために設けられている。合成樹脂の止水部は、流動状の合成樹脂が固化した部材からなる。以下、そのような合成樹脂の止水部のことを止水樹脂部と称する。
【０００７】
また、特許文献２に示される圧着端子においては、防食剤（流動状の合成樹脂）の導入溝が被覆圧着部の内側面に形成されている。これにより、絶縁電線と被覆圧着部との間に防食材を確実に充填させることが可能となる。
【先行技術文献】
【特許文献】
【０００８】
【特許文献１】特開２０１０−１０８７９８号公報
【特許文献２】特開２０１１−１９２５３０号公報
【発明の概要】
【発明が解決しようとする課題】
【０００９】
特許文献１に示される端子付電線において、絶縁電線における絶縁被覆の外周面と圧着端子における被覆圧着部の内側面との間に隙間が生じる場合がある。
【００１０】
被覆圧着部の内側の隙間は、芯線の端部への液体の浸入路となる。そのため、止水樹脂部が形成されているにもかかわらず、芯線と圧着端子とが接触する部分の腐食が生じてしまう。
【００１１】
一方、特許文献２に示される圧着端子が採用されれば、被覆圧着部の内側に隙間が生じることは防がれる。しかしながら、圧着端子に溝を形成する加工を施すよりも簡易に、被覆圧着部の内側に隙間が生じることを防げれば望ましい。
【００１２】
本発明の目的は、合成樹脂の止水部が形成される端子付電線において、簡易に圧着端子の被覆圧着部の内側に隙間が形成されることを防止し、ひいては絶縁電線の芯線と圧着端子とが接触する部分の腐食を防止することである。
【課題を解決するための手段】
【００１３】
第１態様に係る端子付電線は、絶縁電線と圧着端子と第一止水樹脂部と第二止水樹脂部とを備える。上記圧着端子は、上記絶縁電線における絶縁被覆の部分及びその絶縁被覆から延び出た芯線の各々に圧着された芯線圧着部及び被覆圧着部を有する。上記被覆圧着部における上記芯線圧着部側の第一縁部に対し反対側の第二縁部が外側へ反った環状の拡径部を形成している。上記第一止水樹脂部は、流動状の合成樹脂が固化した部材からなる。上記第一止水樹脂部は、上記絶縁電線における少なくとも上記被覆圧着部の上記芯線圧着部側の第一縁部に接する部分から先端側において上記圧着端子から露出している部分を覆う。上記第二止水樹脂部は流動状の合成樹脂が固化した部材からなる。環状の上記第二止水樹脂部は、上記絶縁電線の上記絶縁被覆と上記被覆圧着部の上記拡径部との間を埋める。
【００１４】
第２態様に係る端子付電線は、第１態様に係る端子付電線の一態様である。第２態様に係る端子付電線において、上記第一止水樹脂部は、上記被覆圧着部における突き合わせ状態で上記絶縁電線にかしめられた一対の先端縁部における上記第二止水樹脂部に接する位置までの領域を覆って形成されている。
【００１５】
第３態様に係る端子付電線は、第１態様又は第２態様に係る端子付電線の一態様である。第３態様に係る端子付電線において、上記絶縁電線の上記芯線はアルミニウムを主成分とする金属材料からなる。さらに、上記圧着端子は銅を主成分とする金属材料からなる。
【発明の効果】
【００１６】
以上に示された各態様において、第一止水樹脂部は、圧着端子の被覆圧着部よりも芯線圧着部側において、絶縁電線における圧着端子から露出している部分を覆う。従って、第一止水樹脂部は、液体が圧着端子の外側から芯線の端部へ浸入することを防ぐ。
【００１７】
一方、環状の第二止水樹脂部は、絶縁電線の全周方向において、絶縁電線における絶縁被覆の外周面と圧着端子における被覆圧着部の拡径部との間を密閉する。この第二止水樹脂部の作用により、絶縁被覆と圧着端子の被覆圧着部との間に芯線の端部へ通じる隙間が形成されることが防止される。なお、被覆圧着部の拡径部は、いわゆるベルマウスである。
【００１８】
また、被覆圧着部の拡径部（ベルマウス）は、特別な加工を要することなく通常の圧着工程によって形成される。即ち、被覆圧着部を絶縁電線にかしめるクリンパとして、被覆圧着部の第二縁部に接触しない程度に奥行き寸法の小さなクリンパが用いられるだけでよい。従って、被覆圧着部の拡径部（ベルマウス）を形成することは、圧着端子に溝を形成する加工を施すことに比べ容易である。
【００１９】
以上に示したことから、上記の各態様によれば、簡易に圧着端子の被覆圧着部の内側に隙間が形成されることが防止される。その結果、絶縁電線の芯線と圧着端子とが異種金属で構成されている場合でも、異種金属接触腐食を防止することが可能である。
【００２０】
なお、絶縁電線の芯線と圧着端子とが同種の金属で構成されている場合でも、上記の各態様は、絶縁電線の芯線と圧着端子とが接触する部分の腐食の防止に有効である。
【００２１】
また、第２態様においては、第一止水樹脂部が、第二止水樹脂部と繋がっており、突き合わせ状態で絶縁電線にかしめられた被覆圧着部の一対の先端縁部の間を埋める。そのため、液体が被覆圧着部の一対の先端縁部の間から芯線の端部へ浸入することも防止される。
【００２２】
また、第３態様においては、絶縁電線の芯線と圧着端子とが異なる種類の金属材料で構成されている。この構成は、液体が絶縁電線の芯線の部分へ浸入した場合に、異種金属接触腐食が特に生じやすい構成である。そのため、絶縁電線の芯線の部分への液体の浸入を防止できる本発明の効果がより顕著となる。
【図面の簡単な説明】
【００２３】
【図１】本発明の実施形態に係る端子付電線１の斜視図である。
【図２】端子付電線１の主要部の側面図である。
【図３】端子付電線１の主要部の平面図である。
【図４】端子付電線１の主要部の縦断面図である。
【発明を実施するための形態】
【００２４】
以下、添付の図面を参照しながら、本発明の実施形態について説明する。以下の実施形態は、本発明を具体化した一例であり、本発明の技術的範囲を限定する事例ではない。以下に示される各実施形態に係る端子付電線は、自動車などの車両に搭載されるワイヤハーネスの一部である。
【００２５】
図１〜４に示されるように、端子付電線１は、絶縁電線９、圧着端子１０、第一止水樹脂部７及び第二止水樹脂部８を備えている。なお、図２〜４は、それぞれ端子付電線１における圧着端子１０の圧着部の部分の側面図、平面図及び縦断面図である。また、図４は、図３に示されるＩＩ−ＩＩ平面における断面図である。
【００２６】
＜絶縁電線＞
圧着端子１０が取り付けられる対象となる絶縁電線９は、長尺な導体である芯線９１０と、その芯線９１０の周囲を覆う絶縁体である絶縁被覆９２０と、を有する電線である。通常、芯線９１０は、細い導体からなる複数の素線が撚り合わされた撚り線である。しかしながら、芯線９１０が単線であることも考えられる。
【００２７】
圧着端子１０が取り付けられる絶縁電線９の端部は、予め一定の長さの分の芯線９１０の周囲から絶縁被覆９２０が剥がれた状態、即ち、一定の長さ分の芯線９１０が絶縁被覆から伸び出た状態に加工されている。
【００２８】
以下、絶縁電線９の端部において、絶縁被覆９２０の端から伸び出た芯線９１０を裸芯線部９１と称する。また、絶縁電線９の絶縁被覆９２０における端部の一定の範囲（数ミリメートルから十数ミリメートル程度の長さの範囲）の部分を被覆端部９２と称する。
【００２９】
端子付電線１において、絶縁電線９の芯線９１０は、例えば、アルミニウムを主成分とする金属の線材である。一方、絶縁電線９の絶縁被覆９２０は、例えば、ポリエチレン、塩化ビニル又はポリアミド系ナイロンなどを主成分とする合成樹脂の部材である。なお、芯線９１０が、銅を主成分とする金属の線材であることも考えられる。
【００３０】
＜圧着端子＞
図１〜３に示されるように、圧着端子１０は、直線方向に沿って一列に並んで形成された、被覆圧着部２０、第一連結部３０、芯線圧着部４０、第二連結部５０及び接点部６０を備えている。
【００３１】
また、圧着端子１０における被覆圧着部２０から芯線圧着部４０及び接点部６０へ向かう直線方向を延伸方向と称する。延伸方向は、圧着端子１０が取り付けられる絶縁電線９の長手方向でもある。
【００３２】
圧着端子１０は、金属の板材の折り曲げ加工によって得られる。また、圧着端子１０を構成する金属の板材は、メッキが形成された板状の金属の母材に対する打ち抜き加工によって得られる。従って、圧着端子１０を構成する金属の板材は、基材と、その基材の表面に形成されたメッキとにより構成されている。
【００３３】
例えば、圧着端子１０の基材は、銅又は銅の合金など、銅を主成分とする金属材料からなる部材である。この場合、メッキを含む圧着端子１０全体は、銅を主成分とする金属材料からなる。一方、メッキは、錫（Ｓｎ）もしくは錫に銀（Ａｇ）、銅（Ｃｕ）、ビスマス（Ｂｉ）などが添加された錫合金など、錫を主成分とする金属材料からなる部材である。
【００３４】
＜圧着端子：被覆圧着部＞
被覆圧着部２０は、曲がって形成された板状の部分であり、絶縁電線９に圧着される前の状態において、絶縁電線９の被覆端部９２が挿入される溝を形成している。端子付電線１において、被覆圧着部２０は、被覆圧着部２０が形成する溝の内側に挿入された被覆端部９２の周囲に沿って曲げられることにより、被覆端部９２に対して圧着されている。
【００３５】
被覆端部９２は、圧着端子１０の被覆圧着部２０の圧力によって強く圧縮されている。これにより、被覆端部９２における環状溝９２１の両側の外周面は、被覆圧着部２０の内側面に密接している。
【００３６】
また、被覆端部９２の環状溝９２１と圧着端子１０の被覆圧着部２０の内側面との間には、第二止水樹脂部８で満たされた環状の隙間が形成されている。この環状の隙間は、環状溝９２１の内側面と被覆圧着部２０の内側面における環状溝９２１の開口を覆う部分とで囲まれている。なお、第二止水樹脂部８については後述する。
【００３７】
被覆圧着部２０は、底板部２１と、２つの被覆かしめ部２２とを有する。底板部２１は、圧着端子１０が取り付けられる対象の絶縁電線９における被覆端部９２を一の方向（下方）から支える部分である。また、２つの被覆かしめ部２２は、底板部２１から被覆端部９２の両側へ起立して形成された部分である。
【００３８】
以下、延伸方向に直交し、２つの被覆かしめ部２２が対向する方向を幅方向と称する。さらに、延伸方向及び幅方向に直交する方向を高さ方向と称する。従って、底板部２１は、絶縁電線９における被覆端部９２を高さ方向における一方の側から支える。
【００３９】
被覆かしめ部２２各々における先端側の一部の範囲を占める部分は、底板部２１に対向する向きへ折り曲げられて被覆端部９２にかしめられ、被覆圧着部２０の上面を形成している。また、各被覆かしめ部２２における根元側の一部の範囲を占める部分は、被覆圧着部２０の両側面を形成している。
【００４０】
なお、本明細書において、被覆圧着部２０の底面、側面及び上面との用語は、便宜上、被覆端部９２の四方の面を区別するために用いられており、端子付電線１が敷設された状態における上下左右の方向とは関係しない。
【００４１】
本実施形態に示される被覆圧着部２０は、一対の先端縁部２２１が突き合わさる状態で圧着される突き合わせタイプである。一対の先端縁部２２１は、２つの被覆かしめ部２２各々の先端の縁部である。なお、被覆圧着部２０が、２つの被覆かしめ部２２の一部が重なった状態で圧着される重ね合わせタイプであることも考えられる。また、被覆圧着部２０が、筒状に形成されたクローズドバレルタイプであることも考えられる。
【００４２】
図１〜４に示されるように、被覆圧着部２０における芯線圧着部４０側の第一縁部２０１に対し反対側の第二縁部２０２は、外側へ反った環状の拡径部２００を形成している。拡径部２００はいわゆるベルマウスである。
【００４３】
被覆圧着部２０の拡径部２００（ベルマウス）は、特別な加工を要することなく通常の圧着工程によって形成される。即ち、被覆圧着部２０を被覆端部９２にかしめるクリンパとして、被覆圧着部２０の第二縁部２０２に接触しない程度に奥行き寸法の小さなクリンパが用いられるだけでよい。
【００４４】
圧着端子１０が絶縁電線９の端部に圧着された際、被覆端部９２と拡径部２００との間には環状の隙間が形成される。後述するように、被覆端部９２と拡径部２００との間は、第二止水樹脂部８で埋められる。
【００４５】
＜圧着端子：芯線圧着部＞
芯線圧着部４０は、絶縁電線９に圧着される前の状態において、曲がって形成された板状の部分であり、絶縁電線９の裸芯線部９１が挿入される溝を形成している。そして、芯線圧着部４０は、芯線圧着部４０が形成する溝の内側に挿入された裸芯線部９１に対して圧着される。
【００４６】
芯線圧着部４０は、底板部４１と、２つの芯線かしめ部４２とを有する。底板部４１は、圧着端子１０が取り付けられる対象の絶縁電線９における裸芯線部９１を高さ方向の一方の側から支える部分である。また、２つの芯線かしめ部４２は、底板部４１から裸芯線部９１の両側へ起立して形成された部分である。
【００４７】
各芯線かしめ部４２における先端側の一部の範囲を占める部分は、底板部４１に対向する向きへ折り曲げられて裸芯線部９１にかしめられている。本実施形態に示される芯線圧着部４０は、２つの芯線かしめ部４２が重ならない突き合わせタイプである。しかしながら、芯線圧着部４０は、２つの芯線かしめ部４２が重ねられて裸芯線部９１にかしめられる重ね合わせタイプであること、或いは、筒状に形成されたクローズドバレルタイプであることも考えられる。
【００４８】
＜圧着端子：第一連結部＞
第一連結部３０は、被覆圧着部２０と芯線圧着部４０とを繋ぐ部分である。第一連結部３０は、曲がって形成された板状の部分であり、被覆端部９２及び裸芯線部９１の境界部分が挿入される溝を形成している。そして、第一連結部３０は、被覆圧着部２０の底板部２１と芯線圧着部４０の底板部４１とを繋ぐ底板部３１と、底板部３１から絶縁電線９の両側へ伸びて起立した２つの側壁部３２とを有する。
【００４９】
＜圧着端子：接点部＞
接点部６０は、圧着端子１０の接続相手となる不図示の相手側端子と嵌り合うことによって相手側端子と直接接触する部分である。図１に示される接点部６０は、相手側端子が嵌め入れられる孔である端子挿入孔６１が形成された筒状の部分である。なお、接点部６０が、相手側端子の端子挿入孔に嵌め入れられる棒状の導体である場合もある。
【００５０】
＜圧着端子：第二連結部＞
第二連結部５０は、芯線圧着部４０と接点部６０を繋ぐ部分である。第二連結部５０は、曲がって形成された板状の部分であり、溝を形成している。裸芯線部９１の先端部分が、芯線圧着部４０から第二連結部５０が形成する溝へはみ出す場合もあるが、そうでない場合もある。そして、第二連結部５０は、芯線圧着部４０の底板部４１に繋がる底板部５１と、底板部５１から伸びて起立した２つの側壁部５２とを有する。
【００５１】
端子付電線１において、絶縁電線９の芯線９１０と圧着端子１０とは、それぞれ異種の金属で構成されていることが考えられる。
【００５２】
例えば、芯線９１０が、アルミニウム線、即ち、アルミニウムを主成分とする金属（アルミニウムまたはアルミニウム合金）の線材であることが考えられる。一方、圧着端子１０が、銅もしくは黄銅などの銅合金の基材に、錫（Ｓｎ）もしくは錫に銀（Ａｇ）、銅（Ｃｕ）、ビスマス（Ｂｉ）などが添加された錫合金のメッキが施された部材であることが考えられる。この場合、圧着端子１０と接触する裸芯線部９１は、異種金属接触腐食によって腐食しやすい。
【００５３】
＜第一止水樹脂部＞
端子付電線１における絶縁電線９の端部には、裸芯線部９１の腐食を防ぐための第一止水樹脂部７が形成されている。第一止水樹脂部７は、絶縁電線９の裸芯線部９１を圧着端子１０の外側から覆う合成樹脂の被覆である。第一止水樹脂部７は、流動状の合成樹脂が固化した部材からなる。
【００５４】
端子付電線１において、裸芯線部９１の腐食防止のために覆われるべき領域は、絶縁電線９における少なくとも被覆圧着部２０の芯線圧着部側の縁部に接する圧着境界部９０１から先端９１１までの部分である。そのため、第一止水樹脂部７は、絶縁電線９における少なくとも圧着境界部９０１から先端側において圧着端子１０から露出している部分を覆う。
【００５５】
例えば、第一止水樹脂部７は、絶縁電線９の被覆端部９２に圧着された被覆圧着部２０の中間位置から、第二連結部５０の延伸方向における中間位置までの範囲に形成されている。そして、第一止水樹脂部７は、その範囲に存在する絶縁電線９における圧着端子１０から露出した部分を覆って密封している。
【００５６】
第一止水樹脂部７は、例えば、シリコン系、アクリル系、ウレタン系、ポリアミド系又はエポキシ系の合成樹脂である。また、図１〜３に示される例では、第一止水樹脂部７は、透明又は半透明の材料で構成されている。しかしながら、第一止水樹脂部７は、透明ではない樹脂で構成されることも考えられる。第一止水樹脂部７が、有色の半透明の材料で構成されていれば、第一止水樹脂部７の厚みの確認が容易となる。
【００５７】
また、図２〜４に示されるように、本実施形態においては、第一止水樹脂部７は、被覆圧着部２０における突き合わせ状態で被覆端部９２にかしめられた一対の先端縁部２２１における第二止水樹脂部８に接する位置までの領域を覆って形成されている。
【００５８】
従って、第一止水樹脂部７は、被覆圧着部２０の芯線圧着部４０側の縁部から第二止水樹脂部８に至る範囲において、一対の先端縁部２２１の間の隙間を埋めている。さらに、第一止水樹脂部７は、一対の先端縁部２２１の間において第二止水樹脂部８と繋がっている。
【００５９】
第一止水樹脂部７は、流動状の合成樹脂が上方から絶縁電線９の端部に供給されることによって形成される。絶縁電線９の端部に流下した合成樹脂は、所定の固化工程を経て固化する。
【００６０】
例えば、第一止水樹脂部７が熱可塑性樹脂からなる場合、固化工程は冷却工程である。また、第一止水樹脂部７が湿気固化樹脂からなる場合、固化工程は、湿気を含む空気に湿気固化樹脂を所定時間晒す工程である。また、第一止水樹脂部７が紫外線硬化樹脂からなる場合、固化工程は紫外光を照射する工程である。
【００６１】
＜第二止水樹脂部＞
第二止水樹脂部８は、液体が絶縁電線９の被覆端部９２と被覆圧着部２０との間から裸芯線部９１へ浸入することを防ぐ止水部である。第二止水樹脂部８も、第一止水樹脂部７と同様に、流動状の合成樹脂が固化した部材からなる。
【００６２】
図２〜４に示されるように、第二止水樹脂部８は、被覆端部９２と被覆圧着部２０の拡径部２００との間の隙間を満たして環状に形成されている。これにより、第二止水樹脂部８は、被覆圧着部２０の第二縁部２０２の位置において、被覆端部９２の外周面と拡径部２００の内側面との間を密閉する。
【００６３】
第二止水樹脂部８は、例えば、シリコン系、アクリル系、ウレタン系、ポリアミド系又はエポキシ系の合成樹脂である。第二止水樹脂部８は、固化した状態において弾性を有する材料からなることが望ましい。さらに、第二止水樹脂部８は、被覆端部９２との接着性に優れている材料からなることが望ましい。
【００６４】
第二止水樹脂部８は、被覆圧着部２０の第二縁部２０２が上方を向く状態で、流動状の合成樹脂が上方から拡径部２００の内側に供給されることによって形成される。拡径部２００の内側に流下した合成樹脂は、第一止水樹脂部７と同様に所定の固化工程を経て固化する。
【００６５】
被覆圧着部２０の第二縁部２０２が拡径部２００を形成していない場合、被覆端部９２と第二縁部２０２との間の隙間は、ほとんどない又はごく狭い。この場合、止水に十分な量の流動状の合成樹脂を被覆端部９２と第二縁部２０２との間に溜めることができない。
【００６６】
一方、被覆圧着部２０の第二縁部２０２が拡径部２００を形成していれば、拡径部２００が流動状の合成樹脂の受け皿となる。そのため、止水に十分な量の流動状の合成樹脂を被覆端部９２と第二縁部２０２との間に溜めることができる。
【００６７】
＜効果＞
端子付電線１において、第一止水樹脂部７は、圧着端子１０の被覆圧着部２０よりも芯線圧着部４０側において、絶縁電線９における圧着端子１０から露出している部分を覆う。従って、第一止水樹脂部７は、液体が圧着端子１０の外側から裸芯線部９１へ浸入することを防ぐ。
【００６８】
一方、環状の第二止水樹脂部８は、絶縁電線９の全周方向において、絶縁電線９における被覆端部９２の外周面と圧着端子１０における被覆圧着部２０の拡径部２００との間を密閉する。この第二止水樹脂部８の作用により、被覆端部９２と被覆圧着部２０との間に裸芯線部９１へ通じる隙間が形成されることが防止される。
【００６９】
また、被覆圧着部２０の拡径部２００（ベルマウス）は、特別な加工を要することなく通常の圧着工程によって形成される。即ち、被覆圧着部２０を被覆端部９２にかしめるクリンパとして、被覆圧着部２０の第二縁部２０２に接触しない程度に奥行き寸法の小さなクリンパが用いられるだけでよい。従って、被覆圧着部２０の拡径部２００を形成することは、圧着端子１０に溝を形成する加工を施すことに比べ容易である。
【００７０】
以上に示したことから、端子付電線１が採用されれば、簡易に被覆圧着部２０の内側に隙間が形成されることが防止される。その結果、裸芯線部９１と圧着端子１０とが接触する部分における腐食を防止することが可能である。
【００７１】
また、芯線９１０と圧着端子１０とが異なる種類の金属材料で構成されている場合、液体が裸芯線部９１へ浸入すると異種金属接触腐食が特に生じやすい。しかしながら、端子付電線１が採用されれば、そのような場合でも、異種金属接触腐食を防止することが可能である。
【００７２】
なお、芯線９１０と圧着端子１０とが同種の金属で構成されている場合でも、端子付電線１の構造は、裸芯線部９１と圧着端子１０とが接触する部分の腐食の防止に有効である。
【００７３】
また、端子付電線１においては、第一止水樹脂部７が、第二止水樹脂部８と繋がっており、突き合わせ状態で被覆端部９２にかしめられた被覆圧着部２０の一対の先端縁部２２１の間を埋める。そのため、液体が被覆圧着部２０の一対の先端縁部２２１の間から裸芯線部９１へ浸入することも防止される。
【００７４】
＜その他＞
端子付電線１において、第一止水樹脂部７が第二止水樹脂部８と繋がっていないことも考えられる。この場合でも、優れた止水性が確保される。
【００７５】
なお、本発明に係る端子付電線は、各請求項に記載された発明の範囲において、以上に示された実施形態を適宜、変形する又は一部を省略することによって構成されることも可能である。
【符号の説明】
【００７６】
１  端子付電線
７  第一止水樹脂部
８  第二止水樹脂部
９  絶縁電線
１０  圧着端子
２０  被覆圧着部
２１  被覆圧着部の底板部
２２  被覆かしめ部
３０  第一連結部
３１  第一連結部の底板部
３２  第一連結部の側壁部
４０  芯線圧着部
４１  芯線圧着部の底板部
４２  芯線かしめ部
５０  第二連結部
５１  第二連結部の底板部
５２  第二連結部の側壁部
６０  接点部
６１  端子挿入孔
９１  裸芯線部
９２  被覆端部
２００  拡径部（ベルマウス）
２０１  被覆圧着部の第一縁部
２０２  被覆圧着部の第二縁部
２２１  被覆圧着部の先端縁部
９０１  絶縁電線の圧着境界部
９１１  絶縁電線の先端
９１０  芯線
９２０  絶縁被覆
【図１】
2014191973.tif 000003
【図２】
2014191973.tif 000004
【図３】
2014191973.tif 000005
【図４】
2014191973.tif 000006